(57)【要約】【課題】  新規な使用感と外観を有する健康マットを提供すること。【解決手段】  柔軟性物質の基板上にゴム弾性を有する樹脂製の部分球部材が配置されたマットであり、大きさの異なる少なくとも３種類の部分球部材が不規則に配置され、最も大きい部分球部材の数が一番少なく、最も小さい部分球部材の数が最も多いマット。【選択図】  図１
0003123382.tif 000002
【実用新案登録請求の範囲】
【請求項１】
柔軟性物質の基板上にゴム弾性を有する樹脂製の部分球部材が配置されたマットであり、大きさの異なる少なくとも３種類の部分球部材が不規則に配置され、最も大きい部分球部材の数が一番少なく、最も小さい部分球部材の数が最も多いマット。
【請求項２】
第１の部材の底面の直径が約７ｃｍから３ｃｍであり、第１の部材より小さい第２の部材の底面の直径が５ｃｍから２ｃｍであり、第２の部材よりも小さい第３の部材の底面の直径が３ｃｍから１ｃｍである、請求項１記載のマット。
【請求項３】
基板３０ｃｍ四方当たり、第１の部材が３から８個、第２の部材が６から１０個、第３の部材が２０から５０個配置される、請求項１または２記載のマット。
【請求項４】
第３の部材よりも小さくて底面の直径が約１ｃｍから０．３ｃｍの第４の部材をさらに有する、請求項１から３のいずれか１項記載のマット。
【請求項５】
第４の部材が、基板３０ｃｍ四方当たり、１００から７００個配置される請求項１から４のいずれか１項記載のマット。
【請求項６】
基板および部分球部材の少なくとも一方に、香料が配合される、請求項１から５のいずれか１項記載のマット。
【請求項７】
基板周囲に、基板を他の基板と連結する手段を有する、請求項１から６のいずれか１項記載のマット。
【考案の詳細な説明】
【技術分野】
【０００１】
本考案は表面に樹脂製の部分球部材を配置することにより凹凸を設けたマットに関する。本考案のマット表面に足裏、背中、腰などを乗せることにより、つぼが刺激され、健康の維持および増進を図ることができる。
【背景技術】
【０００２】
健康マットに関しては、多くの発明および考案がなされている。たとえば、実開平５−８２４２４には、上面に横たわることにより人体の血行作用を促すマットレスであって、該マットレスは折り畳み自在であるとともに、その上面に相互に一定の間隔を介して上面が平坦な円柱状あるいは角柱状の多数の突起を有することを特徴とする健康マット レスが記載されている。また、登録実用新案第３０４０９１８号には、所定の大きさの板状の基板と、当該板状の基板の上面に所定の間隔で複数形成され、かつ、上端部が丸みを有し、弾性体からなる突起部とを具備することを特徴とする健康マットが開示されている。特開２００４−３３５０２号には、弾性体からなる突起を有する健康マットが開示されている。特開２００４−１２１７１５号には、複数の突起を有する弾性マットが開示されている。さらに実用新案登録第３０２０９３５号には指圧マットが開示されている。
しかしいずれの特許文献も、大きさの異なる少なくとも３種類の部分球部材を不規則に配置することは開示していない。また、大きさの異なる突起の数についての具体的な記載もない。
【特許文献１】実開平５−８２４２４
【特許文献２】登録実用新案第３０４０９１８号
【特許文献３】特開２００４−３３５０２号
【特許文献４】特開２００４−１２１７１５号
【特許文献５】実用新案登録第３０２０９３５号
【考案の開示】
【考案が解決しようとする課題】
【０００３】
本考案は、従来の健康マットと異なる態様でマット表面に凹凸を提供することにより、より優れた新規な使用感と外観を有する健康マットを提供することを目的とする。
【課題を解決するための手段】
【０００４】
本考案は、柔軟性物質の基板上にゴム弾性を有する樹脂製の部分球部材が配置されたマットであり、大きさの異なる少なくとも３種類の部分球部材が不規則に配置され、最も大きい部分球部材の数が一番少なく、最も小さい部分球部材の数が最も多いマットに関する。
基板は、その表面に樹脂製の部分球部材が固定できるものであれば、任意のものが使用できる。材質としては木材、金属、樹脂、紙、およびそれらの組み合わせ並びにラミネートなどが使用できる。
好ましくは、基板は変形可能な柔軟性物質で作られる。さらに好ましくは、発泡ポリウレタンのような柔軟な樹脂を発泡させたものに樹脂フィルムなどをラミネートしたもので作られる。
【０００５】
本考案において部分球部材とは、球または楕円球を平面で切断した形状をいう。部分球部材は好ましくは球をほぼ半分に切った、半球である。
部分球部材を構成する樹脂も任意のものが使用できる。たとえば、天然ゴム、イソプレンゴム、スチレンゴム、ニトリルゴム、ブタジエンゴム、クロロプレンゴム、ブタジエン−スチレンゴム、ブチルゴム、エチレンプロピレンゴム、ウレタンゴム、シリコンゴム、アクリルゴム、フッ素化ゴム等のゴム、ポリエチレン、ポリプロピレン、ポリスチレン、ポリアミド、ポリエステル、ポリエチレンテレフタレート、ポリブチレンテレフタレート、ポリカーボネート、ポリアクリロニトリル、ポリビニールアルコール、ポリアセタール、ＡＢＳ樹脂、アクリル樹脂、フッ素樹脂、ポリウレタンエラストマー、ポリエステルエラストマー等の熱可塑性合成高分子、フェノール樹脂、ユリア樹脂、メラミン樹脂、不飽和ポリエステル樹脂、エポキシ樹脂、ウレタン樹脂等の熱硬化性合成ポリマー、その他レーヨン、アセテートなどの再生又は半合成ポリマー等が挙げられる。これらのブレンド品およびアロイも使用することができる。また、たとえば、ガラス粉や金属粉を混合したものも使用することができる。さらには、木材や金属などの異なる物質の外側に前記樹脂の層を形成したものも使用することができる。
好ましくは、部分球部材は柔軟性物質から作られ、より好ましくはゴム弾性体から作られる。また、異なる材料から作られた部分球部材を併用することもできる。
【０００６】
本考案のマットにおいては、大きさの異なる少なくとも３種類の部分球部材が不規則に配置され、最も大きい部分球部材の数が一番少なく、最も小さい部分球部材の数が最も多い。
典型的には、上記の底面の直径が約７ｃｍから３ｃｍの第１の部材、第１の部材よりも小さくて底面の直径が約５ｃｍから２ｃｍの第２の部材、第２の部材よりも小さくて底面の直径が約３ｃｍから１ｃｍの第３の部材が使用される。より好ましくは、第１から第４の部材は半球であり、第１の部材の直径は５から３．５ｃｍであり、第２の部材の直径は３．５から２．５ｃｍであり、第３の部材の直径は約１．５ｃｍである。配置される部材の数は、最も大きい第１の部材の数が最も少なく、第２の部材の数は第１の部材よりも多く、最も小さい第３の部材は最も多く配置される。典型的には３０ｃｍ四方の基板上に、第１の部材が約３から８個、第２の部材が約６から１０個、第３の部材が約２０から５０個配置される。
【０００７】
本考案のマットには、さらに第４の部分球部材を配置することができる。第４の部材は、典型的には第３の部材よりも小さくて底面の直径が約１ｃｍから０．３ｃｍ、好ましくは約０．５ｃｍであり、典型的には、第４の部材の数は第３の部材の数よりも多く、典型的には３０ｃｍ四方の基板上に約１００から７００個配置される。
なお、各部分球部材の具体的な好適な個数はマットのデザインおよび材質などによって変化するが、幾分かの試験に基づいて適宜決定することができる事項である。
【０００８】
本考案において部分球部材は不規則に配置される。「不規則に配置」とは、ランダムに配置されるとの意味ではなく、格子状のように規則的に配置されているものではないとの意味である。各部分球部材の配置は好適な使用感を得るために詳細に検討された上で決定されるが、部分球部材を規則的に配列するよりも不規則に配置した方が良好な使用感が得られる。
【０００９】
部分球部材を基板上に配置する方法は、部分球部材が基板から容易に離脱しない方法であれば、任意の方法を使用することができる。好ましくは基板および部分球部材の材質に応じて適当な接着剤が使用される。また部分球部材を基板の切れ込みや凹部にはめ込むこともでき、さらに基板もしくは基板の一部と部分球部材を一体成形することもできる。
【００１０】
本考案のマットにおいては、基板および部分球部材の少なくとも一方に香料を配合することができる。香料としては、好みに応じて任意の物が使用でき、各種ハーブの香り、樹木の香り、花の香りなどを使用できる。香料は単純にブレンドしてもよいし、マイクロカプセルなどの形で加えてもよい。
【００１１】
さらに、基板および／または部分球部材は任意の色に着色されることができる。さらに着色された部材を基板上に配置することにより模様を描くことができる。すなわち、所定の色に着色されたそれぞれの部分球部材を、たとえば動物やキャラクターの形状に配置することにより、それらの模様を描くことができる。
【００１２】
本考案のマットは、基板はその周囲に、基板を他の基板と連結する手段を有する。かかる手段としては多くの手段が知られており、これらの任意の方法を用いることができるが、たとえば、端部分にジグザグを設けはめあい可能としたり、スリットを設けて結合可能とすることができる。このようにすることにより、たとえば台所のサイズに合わせて横長の健康マットを流しの前に敷くことができる。
また、複数の本考案のマットを結合することにより各種の模様が生ずるようにすることもできる。このように本考案においては、使用者の要求に応じて多くのデザインのマットを簡単に生産することができる。
【考案の効果】
【００１３】
本考案のマットは、足裏、背中、腰などの身体部位に対する刺激がソフトであり、従来の健康マットでは痛みを感じていた使用者に、より好適な使用感を与える。
本考案のマットでは、大きさの異なる複数の部分球部材が不規則に配置されているので、踏む位置により異なるつぼが刺激され、また刺激の強さも異なるため、踏む位置によって異なる使用感と効果が得られる。また大人だけではなく、子供でも好ましい刺激と使用感が得られる。さらに本考案のマットでは従来の物と比較して非常に数の多い部分球部材が配置されているので、多くのつぼを一度に刺激することができる。
また、マット表面の意匠を簡単に変えることができるので、多くのデザインのマットを簡単に生産することができる。また、幅広い需用者の要望に応えることにより需要の増大を図り、さらに購買後の使用意欲を高め、健康増進効果がより促進されるものと期待される。さらには、部分球部材に付された色彩とマットおよび／または部分球部材からの香りにより、複合的な癒し効果が得られる。
さらに、部分球部材が樹脂製であるので、使用により生じた汚れなどは水洗いなどにより容易に除去することができ、常に清潔に保てるという利点を有する。
【考案を実施するための最良の形態】
【００１４】
本考案の好ましい実施形態について、図面を参照しつつ説明する。
第１図は、本考案のマットの断面図である。４種類の大きさの異なる部分球部材が基板の上に配置されていることが示される。図１において第１の部材は１、第２の部材は２、第３の部材は３、第４の部材は４として示されている。また、これらは基板５上に配置されている。
第２図は、本考案のマットの上面図である。図１と同様、基板５上に４種類の大きさの異なる部分球部材が配置されている。この例においては、３０ｃｍ四方の基板上に第１部材は５個、第２の部材は６個、第３の部材は約２５個、第４の部材は約４００個存在している。
第３図は、複数枚の本考案のマットをつなげた状態を示す図である。
【００１５】
実施例
本考案にかかるマットと、従来の、同じ大きさの突起が格子状に並べられたマットを比較したところ、本考案のマットではすぐに足が暖かくなり、使用感が優れているとの結果を得た。
【図面の簡単な説明】
【００１６】
【図１】本考案のマットの実施態様の断面図
【図２】本考案のマットの実施態様の上面図
【図３】結合された本考案のマットの実施態様の上面図
【符号の説明】
【００１７】
１：第１の部分球部材
２：第２の部分球部材
３：第３の部分球部材
４：第４の部分球部材
５：基板
【図１】
0003123382.tif 000003
【図２】
0003123382.tif 000004
【図３】
0003123382.tif 000005